(57)【要約】【課題】既設枠に捨て枠を容易に固定でき且つ捨て枠を固定するための部品点数を少なくできると共に既設枠に捨て枠を強固に固定できる改装窓を提供する。【解決手段】捨て枠５において、基部１３の室内側には室内側片１５が設けてあり、室外側には室外側片１７と、室外側片１７の室外側に室外側片１７よりも突設寸法が短い補助片１９が設けてあり、室内側片１５の圧接部２１は既設枠室内側片９の室外側面９ａに見付け方向に亘って線状に当接しており、室外側片１７の圧接部２５は既設枠室外側片１１の室内側面１１ｂに見付け方向に亘って線状に当接しており、補助片１９の圧接部２９は既設枠室外側片１１の室外側面１１ａに見付け方向に亘って線状に当接していると共に室外側片１７と補助片１９とで既設枠室外側片１１を挟んでいる。【選択図】図１
2011196166.tif 000002
【特許請求の範囲】
【請求項１】
既設枠の内周側に各々固定する捨て枠と、捨て枠に固定する新設枠とを備え、既設枠は室内側と室外側とで各々内周側へ向けて突設する片を有しており、少なくとも一つの捨て枠は、既設枠の内周側に位置する基部と、基部の室内側から外周側に突設する室内側片と、基部の室外側から外周側に突設する室外側片と、室外側片よりも室外側で基部から外周側に突設し且つ室外側片よりも突設寸法が短い補助片とを有し、室内側片は既設枠室内側片の室外側面に対向しており且つ既設枠室内側片に圧接する圧接部を有し、室外側片は既設枠室外側片の室内側面に対向しており且つ既設枠室外側片に圧接する圧接部を有し、補助片は既設枠室外側片の室外側面に対向しており且つ既設枠室外側片に圧接する圧接部を有し、室内側片の圧接部は既設枠室内側片の室外側面に見付け方向に亘って線状に当接しており、室外側片の圧接部は既設枠室外側片の室内側面に見付け方向に亘って線状に当接しており、補助片の圧接部は既設枠室外側片の室外側面に見付け方向に亘って線状に当接していると共に室外側片と補助片とで既設枠室外側片を挟んでいることを特徴とする改装窓。
【請求項２】
既設枠の内周側に各々固定する捨て枠と、捨て枠に固定する新設枠とを備え、既設枠は室内側と室外側とで各々内周側へ向けて突設する片を有しており、少なくとも一つの捨て枠は、既設枠の内周側に位置する基部と、基部の室内側から外周側に突設する室内側片と、基部の室外側から外周側に突設する室外側片と、室外側片よりも室外側で基部から外周側に突設且つ室外側片よりも突設寸法が短い補助片とを有し、室内側片は既設枠室内側片の室外側面に対向しており、室外側片は既設枠室外側片の室内側面に対向しており且つ既設枠室外側片に圧接する圧接部を有し、補助片は既設枠室外側片の室外側面に対向しており且つ既設枠室外側片に圧接する圧接部を有し、室内側片は既設枠室内側片に室内側から止めるねじで固定してあり、室外側片の圧接部は既設枠室外側片の室内側面に見付け方向に亘って線状に当接しており、補助片の圧接部は既設枠室外側片の室外側面に見付け方向に亘って線状に当接していると共に室外側片と補助片とで既設枠室外側片を挟んでいることを特徴とする改装窓。
【請求項３】
既設枠の内周側に各々固定する捨て枠と、捨て枠に固定する新設枠とを備え、既設枠は室内側と室外側とで各々内周側へ向けて突設する片を有しており、少なくとも一つの捨て枠は、既設枠の内周側に位置する基部と、基部の室内側から外周側に突設する室内側片と、基部の室外側から外周側に突設する室外側片と、室外側片よりも室外側で基部から外周側に突設する補助片とを有し、室内側片は既設枠室内側片の室外側面に対向しており且つ既設枠室内側片に圧接する圧接部を有し、室外側片は既設枠室外側片の室内側面に対向しており、補助片は既設枠室外側片の室外側面に対向しており且つ既設枠室外側片に圧接する圧接部を有し、室内側片の圧接部は既設枠室内側片の室外側面に見付け方向に亘って線状に当接しており、補助片の圧接部は既設枠室外側片の室外側面に見付け方向に亘って線状に当接していると共に室外側片と補助片とで既設枠室外側片を挟んでいることを特徴とする改装窓。
【請求項４】
室外側片の圧接部は縦断面が室外側に向けて突設する略Ｖ状を成しており、Ｖ字の屈曲部を既設枠室外側片の室内側面に当接してあり、室内側片の圧接部は縦断面が室内側に向けて突設する略Ｖ状を成しており、Ｖ字の屈曲部を既設枠室内側片の室外側面に当接していることを特徴とする請求項１に記載の改装窓。
【請求項５】
室外側片の圧接部は縦断面が室外側に向けて突設する略Ｖ状を成しており、Ｖ字の屈曲部を既設枠室外側片の室内側面に当接していることを特徴とする請求項２に記載の改装窓。
【請求項６】
室内側片の圧接部は縦断面が室内側に向けて突設する略Ｖ状を成しており、Ｖ字の屈曲部を既設枠室内側片の室外側面に当接していることを特徴とする請求項３に記載の改装窓。
【発明の詳細な説明】
【技術分野】
【０００１】
本発明は、改装窓に関する。
【背景技術】
【０００２】
特許文献１には、既設枠の内周側に捨て枠を固定し、捨て枠に新設枠を固定する改装窓が開示されている。
この特許文献１の技術では、捨て枠は、既設枠の内周側に位置する基部と、基部の室内側から外周側に突設する室内側片と、基部の室外側から外周側に突設する室外側片とを設け、室内側片の室内側面にはガイド部材を取付け、室外側片の室外側面には接着材を取付けて、既設枠室外側片と既設枠室内側片との間に、捨て枠の室内側片と室外側片を圧入することで、捨て枠を既設枠に固定することが開示されている。
この特許文献１では、捨て枠の室外側片は接着材により既設枠室外側片に接着固定し、捨て枠の室内側片はガイド部材により既設枠室外側片に圧接固定している。
【先行技術文献】
【特許文献】
【０００３】
【特許文献１】特開２００５−２８２０５４号公報
【発明の概要】
【発明が解決しようとする課題】
【０００４】
しかし、特許文献１の技術では、捨て枠の室外側片には接着材を取付けたり、捨て枠の室内側片にガイド部材を取り付けなければならないので、施工に手間がかかると共に部品点数が多くなるという問題がある。
【０００５】
そこで、本発明は、改装窓において、既設枠に捨て枠を容易に固定でき且つ捨て枠を固定するための部品点数を少なくできると共に既設枠に捨て枠を強固に固定できる改装窓の提供を目的とする。
【課題を解決するための手段】
【０００６】
請求項１に記載の発明は、既設枠の内周側に各々固定する捨て枠と、捨て枠に固定する新設枠とを備え、既設枠は室内側と室外側とで各々内周側へ向けて突設する片を有しており、少なくとも一つの捨て枠は、既設枠の内周側に位置する基部と、基部の室内側から外周側に突設する室内側片と、基部の室外側から外周側に突設する室外側片と、室外側片よりも室外側で基部から外周側に突設し且つ室外側片よりも突設寸法が短い補助片とを有し、室内側片は既設枠室内側片の室外側面に対向しており且つ既設枠室内側片に圧接する圧接部を有し、室外側片は既設枠室外側片の室内側面に対向しており且つ既設枠室外側片に圧接する圧接部を有し、補助片は既設枠室外側片の室外側面に対向しており且つ既設枠室外側片に圧接する圧接部を有し、室内側片の圧接部は既設枠室内側片の室外側面に見付け方向に亘って線状に当接しており、室外側片の圧接部は既設枠室外側片の室内側面に見付け方向に亘って線状に当接しており、補助片の圧接部は既設枠室外側片の室外側面に見付け方向に亘って線状に当接していると共に室外側片と補助片とで既設枠室外側片を挟んでいることを特徴とする。
【０００７】
請求項２に記載の発明は、既設枠の内周側に各々固定する捨て枠と、捨て枠に固定する新設枠とを備え、既設枠は室内側と室外側とで各々内周側へ向けて突設する片を有しており、少なくとも一つの捨て枠は、既設枠の内周側に位置する基部と、基部の室内側から外周側に突設する室内側片と、基部の室外側から外周側に突設する室外側片と、室外側片よりも室外側で基部から外周側に突設且つ室外側片よりも突設寸法が短い補助片とを有し、室内側片は既設枠室内側片の室外側面に対向しており、室外側片は既設枠室外側片の室内側面に対向しており且つ既設枠室外側片に圧接する圧接部を有し、補助片は既設枠室外側片の室外側面に対向しており且つ既設枠室外側片に圧接する圧接部を有し、室内側片は既設枠室内側片に室内側から止めるねじで固定してあり、室外側片の圧接部は既設枠室外側片の室内側面に見付け方向に亘って線状に当接しており、補助片の圧接部は既設枠室外側片の室外側面に見付け方向に亘って線状に当接していると共に室外側片と補助片とで既設枠室外側片を挟んでいることを特徴とする。
【０００８】
請求項３に記載の発明は、既設枠の内周側に各々固定する捨て枠と、捨て枠に固定する新設枠とを備え、既設枠は室内側と室外側とで各々内周側へ向けて突設する片を有しており、少なくとも一つの捨て枠は、既設枠の内周側に位置する基部と、基部の室内側から外周側に突設する室内側片と、基部の室外側から外周側に突設する室外側片と、室外側片よりも室外側で基部から外周側に突設する補助片とを有し、室内側片は既設枠室内側片の室外側面に対向しており且つ既設枠室内側片に圧接する圧接部を有し、室外側片は既設枠室外側片の室内側面に対向しており、補助片は既設枠室外側片の室外側面に対向しており且つ既設枠室外側片に圧接する圧接部を有し、室内側片の圧接部は既設枠室内側片の室外側面に見付け方向に亘って線状に当接しており、補助片の圧接部は既設枠室外側片の室外側面に見付け方向に亘って線状に当接していると共に室外側片と補助片とで既設枠室外側片を挟んでいることを特徴とする。
【０００９】
請求項４に記載の発明は、請求項１に記載の発明において、室外側片の圧接部は縦断面が室外側に向けて突設する略Ｖ状を成しており、Ｖ字の屈曲部を既設枠室外側片の室内側面に当接してあり、室内側片の圧接部は縦断面が室内側に向けて突設する略Ｖ状を成しており、Ｖ字の屈曲部を既設枠室内側片の室外側面に当接していることを特徴とする。
【００１０】
請求項５に記載の発明は、請求項２に記載の発明において、室外側片の圧接部は縦断面が室外側に向けて突設する略Ｖ状を成しており、Ｖ字の屈曲部を既設枠室外側片の室内側面に当接していることを特徴とする。
【００１１】
請求項６に記載の発明は、請求項３に記載の発明において、室内側片の圧接部は縦断面が室内側に向けて突設する略Ｖ状を成しており、Ｖ字の屈曲部を既設枠室内側片の室外側面に当接していることを特徴とする。
【発明の効果】
【００１２】
請求項１に記載の発明によれば、捨て枠の室内側片と室外側片とは、圧接部により既設枠室内側片と既設枠室外側片との間で互いに突っ張るようにして既設枠室内側片と既設枠室外側片とに圧接固定しているので、捨て枠を既設枠に嵌め入れるだけで捨て枠が外れ難くい。しかも、捨て枠の室内側片は既設枠室内側片の室外側面に見付け方向に亘って線状に当接し、室外側片は既設枠室外側片の室内側面に見付け方向に亘って線状に当接し、補助片も既設枠室外側片の室外側面に見付け方向に亘って線状に当接しているから、各圧接部では、面で圧接する場合に比較して、当接圧を高くできると共に確実に圧接させることができる。
室内側片及び室外側片は、各々既設枠室内側片及び既設枠室外側片に線状に当接しているので、面で圧接する場合に比較して、既設枠室内側片及び既設枠室外側片間に嵌め込み易い。
補助片と室外側片とにより既設枠室外側片を上下の位置で挟んでいるので、室内側に負圧が生じた場合に基部の室外側が内周側に向けて引き込まれようとするいわゆる「転び」を防止できる。
特許文献１のような接着材やガイド部材を用いていないので、施工が容易であると共に部品点数を少なくできる。更に、材料費を低減できる。
一般に、既設枠の形状は既設枠を提供している製造元により様々であるが、既設枠室外側片と既設枠室内側片を有する構成及び既設枠室外側片と既設枠室内側片との間の間隔は製造元が異なる場合でも共通しているので、既設枠室外側片と既設枠室内側片に取付ける本発明にかかる捨て枠は、汎用性が高い。
【００１３】
請求項２に記載の発明によれば、捨て枠の室外側片の圧接部と室内側片とにより既設枠室外側片と既設枠室内側片との間で既設枠室内側片と既設枠室外側片とに圧接固定しているので、捨て枠を既設枠に嵌め入れるだけで捨て枠を既設枠に仮固定でき、施工性が良い。しかも、室外側片は既設枠室外側片の室内側面に見付け方向に亘って線状に当接し、補助片も既設枠室外側片の室外側面に見付け方向に亘って線状に当接しているから、各圧接部では、面で圧接する場合に比較して、当接圧を高くできると共に確実に圧接させることができる。
捨て枠の仮固定後は、室内側片を既設枠室内側片に室内側から止めるねじで固定しているので、室内側からの作業で捨て枠を既設枠に強固に且つ簡単に固定できる。
補助片と室外側片とにより既設枠室外側片を上下の位置で挟んでいるので、室内側に負圧が生じた場合に基部の室外側が内周側に向けて引き込まれようとする「転び」を防止できる。
特許文献１のような接着材やガイド部材を用いていないので、施工が容易であると共に部品点数を少なくできる。更に、材料費を低減できる。
既設枠の形状は既設枠を提供している製造元により様々であるが、既設枠室外側片と既設枠室内側片を有する構成及び既設枠室外側片と既設枠室内側片との間の間隔は製造元が異なる場合でも共通しているので、既設枠室外側片と既設枠室内側片に取付ける本発明にかかる捨て枠は、汎用性が高い。
【００１４】
請求項３に記載の発明によれば、捨て枠の室外側片と室内側片の圧接部とにより既設枠室外側片と既設枠室内側片との間で既設枠室内側片と既設枠室外側片とに圧接固定しているので、捨て枠を既設枠に嵌め入れるだけで捨て枠を既設枠に仮固定でき、施工性が良い。しかも、室内側片の圧接部は既設枠室内側片の室外側面に見付け方向に亘って線状に当接し、補助片の圧接部も既設枠室外側片の室外側面に見付け方向に亘って線状に当接しているから、各圧接部では、面で圧接する場合に比較して、当接圧を高くできると共に確実に圧接させることができる。
捨て枠の仮固定後は、室内側片を既設枠室内側片に室内側から止めるねじで固定しているので、室内側からの作業で捨て枠を既設枠に強固に且つ簡単に固定できる。
捨て枠の室内側片を既設枠室内側片に室内側から止めるねじで固定しているので、ねじの締め付けにより捨て枠が室内側へ引き寄せられて、補助片の圧接部を既設枠室外側片の室外側面に強く圧接できるから、室内側に負圧が生じた場合に基部の室外側が内周側に向けて引き込まれようとする「転び」を防止できる。
特許文献１のような接着材やガイド部材を用いていないので、施工が容易であると共に部品点数を少なくできる。更に、材料費を低減できる。
既設枠の形状は既設枠を提供している製造元により様々であるが、既設枠室外側片と既設枠室内側片を有する構成及び既設枠室外側片と既設枠室内側片との間の間隔は製造元が異なる場合でも共通しているので、既設枠室外側片と既設枠室内側片に取付ける本発明にかかる捨て枠は、汎用性が高い。
【００１５】
請求項４〜６に記載の発明によれば、各々が従属する請求項１、２又は３に記載の作用効果を奏すると共に、各圧接部はＶ字形状としているので、簡易な構成により、捨て枠の室内側片と室外側片との当接を線状の当接にすることができる。また、押出成形による製造が容易にできる
【図面の簡単な説明】
【００１６】
【図１】本発明の第１実施の形態に係る改装窓及びその周囲部の縦断面図である。
【図２】本発明の第１実施の形態に係る改装窓及びその周囲部の横断面図である。
【図３】（ａ）は本発明の第１実施の形態に係る改装窓における捨て枠の取付け方法を示す縦断面図であり、（ｂ）は取付け後の状態を示す縦断面図である。
【図４】本発明の第２実施の形態に係る改装窓における捨て枠を既設枠に取付けた状態を示す縦断面図である。
【図５】本発明の第３実施の形態に係る改装窓における捨て枠を既設枠に取付けた状態を示す縦断面図である。
【発明を実施するための形態】
【００１７】
以下に、添付図面を参照して本発明の実施の形態を詳細に説明する。図１及び図２に示すように、本実施の形態にかかる改装窓１は、既設枠３の内周側に引違いサッシを新設するものであり、既設枠３の内周側に固定する捨て枠５と、捨て枠５に固定する新設枠７とを備えている。
既設枠３には、既設上枠３ａ、既設下枠３ｂ、左右の既設竪枠３ｃがあるが、本実施の形態にかかる既設枠３は既設上枠３ａである。また、捨て枠５には、既設上枠３ａに固定する上捨て枠５ａと、左右の既設竪枠３ｃに各々固定する竪捨て枠５ｂとがあるが、本実施の形態にかかる捨て枠５は上捨て枠５ａである。新設枠７には、新設上枠７ａ、新設下枠７ｂ、左右の新設竪枠７ｃがあるが本実施の形態にかかる新設枠７は、新設上枠７ａである。
既設上枠３ａ及び左右の既設竪枠３ｃの各々には、室内側で内周側へ向けて突設する既設枠室内側片９と、室外側で内周側へ向けて突設する既設枠室外側片１１が設けてある。
【００１８】
図１及び図３（ｂ）に示すように、捨て枠５には、既設枠３の内周側に位置する基部１３と、基部１３の室内側から外周側に突設した室内側片１５と、基部１３の室外側から外周側に突設した室外側片１７と、室外側片１７の室外側で基部１３から外周側に突設したに補助片１９とが設けてある。捨て枠５は、押出し形材であり、基部１３、室内側片１５、室外側片１７及び補助片１９とは一体に形成されている。
室内側片１５は既設枠室内側片９の室外側面９ａに対向して配置してあり、先端部分には既設枠室内側片９に圧接する圧接部２１が設けてある。室内側片１５の圧接部２１は既設枠室内側片９の室外側面９ａに見付け方向に亘って線状に当接している。
室内側片１５の圧接部２１は、縦断面が室内側に向けて突設する略Ｖ状を成しており、Ｖ字の屈曲部２３を既設枠室内側片９の室外側面９ａに圧接している。尚、室内側片１５の先端はＶ字の屈曲部２３から室外側へ向けて傾斜している。
【００１９】
室外側片１７は、既設枠室外側片１１の室内側面１１ｂに対向して配置してあり、先端部分には、既設枠室外側片１１に圧接する圧接部２５が設けてある。室外側片１７の圧接部２５は既設枠室外側片１１の室内側面１１ｂに見付け方向に亘って線状に当接している。室外側片１７の圧接部２５は、縦断面が室外側に向けて突設する略Ｖ状を成しており、Ｖ字の屈曲部２７を既設枠室外側片１１の室内側面１１ｂに圧接している。尚、室外側片１７の先端はＶ字の屈曲部２３から室内側へ向けて傾斜している。
また、図３（ａ）に示すように、捨て枠５は既設枠３への取付前の状態において、室内側片１５のＶ字屈曲部２３と室外側片１７のＶ字屈曲部２７との間の間隔Ｗ１は、既設枠室内側片９の室外側面９ａと既設枠室外側片１１の室内側面との間の間隔Ｗ２よりも広くしてある。また、捨て枠５の室外側片１７の肉厚Ｍ１は室内側片１５の肉厚Ｍ２よりも薄くしてある。
【００２０】
補助片１９は、室外側片１７よりも室外側で基部１３の外周側に突設していると共に、室外側片１７よりも外周側への突設寸法を短くしてある。補助片１９は、既設枠室外側片１１の室外側面１１ａに対向しており且つ既設枠室外側片１１に圧接する圧接部２９が設けてある。補助片１９の圧接部２９は、既設枠室外側片１１の室外側面１１ａに見付け方向に亘って線状に当接していると共に、捨て枠５の室外側片１１と補助片１９とで既設枠室外側片１１を上下で挟んでいる。圧接部２９は、既設枠室外側片１１側へ向けて突設した突条３０である。
図１に示すように、捨て枠５の室内側片１５は既設枠室内片９に室内側から止めるねじ４３で固定してあり、新設枠７は捨て枠５の基部１３との間にスペーサ３１を挟んで内周側から止めるねじ４１で捨て枠５の基部１３に固定してある。
【００２１】
図２に示すように、左右の既設竪枠３ｃ、３ｃには、既設枠室内側片９と、既設枠室外側片１１とに各々竪捨て枠５ｂが固定されているが、竪捨て枠５ｂには、基部１３に補助片１９が設けていないことが上捨て枠５ａ（５）と異なっており、それ以外の構成は、上捨て枠５ａ（５）と同じ構成になっているので、上捨て枠５ａと同一の作用効果を奏する部分には同一の符合を付することにより、その部分の詳細な説明を省略する。尚、新設竪枠７ｃも新設上枠７ａと同様に竪捨て枠５ｃとの間にスペーサ３１を介して竪捨て枠５ｂの基部１３にねじ固定されている。
新設下枠７ｂは、図１に示すように、下額縁５１に室外側から止めるねじで固定してある縦断面Ｌ字形状の補助材５３に上から止めるねじで固定してあり、補助材５３は既設レール５４に固定されている支持部材５５にスペーサ５７を介して支持されている。尚、支持部材５５は既設レール５４の延出方向に沿って所定間隔をあけて設けてある。
【００２２】
次に、第１実施の形態にかかる改装窓１の施工、作用効果について説明する。上既設枠３（３ａ）に上捨て枠５（５ａ）を取付け、左右の既設竪枠３ｃに竪捨て枠５ｂを取付けるが、まず、上捨て枠５（５ａ）の取り付けについて説明する。
図３（ａ）に示すように、捨て枠５の基部１３において、室外側を下に室内側を上に傾斜させて、室内側片１５よりも室内側にある室内側端部上面１３ａを、既設枠室内側片９の下端に当て、ここを支点して室外側を上方に向けて回動するように捨て枠５を押し込む。
そうすると、捨て枠５の室外側片１７は、その先端を室内側に向けて傾斜しているので先端（上端）は既設枠室外側片１１に当たることなく、圧接部２５を既設枠室外側片１１の下端で室内側面１１ｂに当接し、室内側へ向けて弾性変形しつつ圧接部２５を既設枠室外側片１１の室内側面１１ｂに圧接しながら上方に移動する。更に、上捨て枠５ａを上方へ押し込むと、室内側片１５の圧接部２１も既設枠室内側片９の室外側面９ａに圧接し、室内側片１５も室外側へ押されて弾性変形する。一方、室側片１７と補助片１９との間には既設枠室外側片１１が入り込み、図３（ｂ）に示すように、既設枠室外側片１１の下端が基部１３の上面に当接し、上捨て枠５ａの取り付けが完了する。
その後、図１に示すように、既設枠室内側片９と捨て枠５の室内側片１５とを室内側から止めるねじ４３で固定する。
【００２３】
同様に、左右の既設竪枠３ｃ、３ｃにも各々竪捨て枠５ｂを取付けるが、竪捨て枠５ｂには補助片１９がないので、室内側片１５の圧接部２１を既設枠室内側片９の室外側面９ａに圧接し、室外側片１７を既設枠室外側片１１の室内側面１１ｂに圧接して取付ける。  次に、捨て枠５に新設枠７（７ａ）を取付けるが、図１に示すように、新設枠７は捨て枠５の内周側面にスペーサ３１を当てて、新設枠７をねじ４１で捨て枠５の基部１３に固定する。更に、新設枠７は室内側係合部４５に係合部材４７を係合して既設枠室内側片９にねじ４８で固定する。
図２に示すように、左右の新設竪枠７ｂも同様に、竪捨て枠５ｂの内周側面にスペーサ３１を当てて新設竪枠７ｂをねじ４１で竪捨て枠５ｂの基部１３に固定し、室内側係合部４５に係合部材４７を係合して既設枠室内側片９にねじ固定する
尚、図１に示すように、既設下枠３ｂは、そのレール部分を切断して、既設下枠３ｂの上に新設下枠７ｂを載せてねじで固定する。
【００２４】
第１実施の形態によれば、捨て枠５において、室内側片１５の圧接部２１と室外側片１７の圧接部２５とが、図３（ｂ）に矢印Ｓで示すように、既設枠室内側片９と既設枠室外側片１１との間で互いに突っ張るようにして既設枠室内側片９と既設枠室外側片１１とに圧接固定しているので、捨て枠５を既設枠３に嵌め入れるだけで捨て枠が外れ難くい。
捨て枠５は室外側片１７の先端（上端）が室内側に向けて傾斜しているから、既設枠室外側片１１の室内側面に室外側片１７を先端側から押し上げる際に、先端が邪魔にならずに容易に嵌め入れることができる。
捨て枠５では、室内側片１５の圧接部２１が既設枠室内側片９の室外側面９ａに見付け方向に亘って線状に当接し、室外側片１７の圧接部２５が既設枠室外側片１１の室内側面１１ｂに見付け方向に亘って線状に当接し、補助片１９の圧接部２９も既設枠室外側片１１の室外側面に見付け方向に亘って線状に当接しているから、各圧接部２１、２５、２９では、面で圧接する場合に比較して、当接圧を高くできると共に確実に圧接させることができる。
室内側片１５の圧接部２１及び室外側片１７の圧接部２５は、各々既設枠室内側片９及び既設枠室外側片１１に線状に当接しているので、面で圧接する場合に比較して、既設枠室内側片１１と既設枠室外側片１１との間に嵌め込み易い。
捨て枠５は、補助片１９と室外側片１７とにより、既設枠室外側片１１を挟んで強く固定しているから、室内側に負圧が生じた場合に捨て枠５の室外側が内周側に向けて引き込まれようとする「転び」を防止できる。
捨て枠５には、特許文献１のような接着材やガイド部材を用いていないので、施工が容易であると共に部品点数を少なくできる。更に、材料費を低減できる。
既設枠３の形状は既設枠３を提供している製造元により様々であるが、既設枠室外側片１１と既設枠室内側片９を有する構成及び既設枠室外側片１１と既設枠室内側片９との間の間隔は製造元が異なる場合でも共通しているので、既設枠室外側片１１と既設枠室内側片９に取付ける本実施の形態にかかる捨て枠５は、汎用性が高い。
室内側片１５の圧接部２１及び室外側片１７の圧接部２５は断面Ｖ字形状としてあるので、簡易な構成により、既設枠室内側片９と既設枠室外側片１１との当接を線状の当接にすることができる。また、押出成形による製造が容易である。
上捨て枠５ａの室外側片１７は室内側片１５よりも肉厚を薄くしているので、上捨て枠５の室内側片１５を先に既設枠室内側片９の室外側面９ａにあててから、室外側片１７を既設枠室外側片１１の室内側面１１ａに押し込んで圧入するときに、室外内側片１７は室内側片１５よりも厚みを薄くしているので弾性変形し易いから、圧入し易い。
室内側片１５の圧接部２１と室外側片１７の圧接部２５との間の寸法Ｗ１は、既設枠室内側片９の室外側面９ａと既設枠室外側片１１の室内側面１１ｂとの間の寸法Ｗ２よりも大きくしているので、上捨て枠５ａを上既設枠３ａに取付けるときには、上捨て枠５ａの室内側片１５と室外側片１７とは互いに間隔を狭めるようにして上既設枠３ａに取り付けられるから、取付けた後には室内側片１５と室外側片１７とは互いに離反する方向Ｓ（図３（ｂ）参照）に弾性復帰力を作用して、既設枠室外側片１１と既設枠室内側片９に対する当接圧を高め強固に固定できる。
【００２５】
以下に本発明の他の実施の形態を説明するが、以下に説明する実施の形態において、上述の第１実施の形態と同一の作用効果を奏する部分には同一の符合を付することにより、その部分の説明を省略し、以下の説明では第１実施の形態と主に異なる点を説明する。
図４に本発明の第２実施の形態を示す。この第２実施の形態では、捨て枠５の室内側片１５に圧接部２１を設けていない点が第１実施の形態と異なっている。その他の構成は第１実施の形態と略同じである。
【００２６】
この第２実施の形態によれば、捨て枠５の室外側片１７の圧接部２５と室内側片１５とにより既設枠室外側片１１と既設枠室内側片９との間で既設枠室内側片９と既設枠室外側片１１とに圧接固定しているので、捨て枠５を既設枠３に嵌め入れるだけで捨て枠５を既設枠３に仮固定でき、施工性が良い。しかも、室外側片１７は既設枠室外側片１１の室内側面１１ｂに見付け方向に亘って線状に当接し、補助片１９も既設枠室外側片１１の室外側面１１ａに見付け方向に亘って線状に当接しているから、各圧接部２５、２９では、面で圧接する場合に比較して、当接圧を高くできると共に確実に圧接させることができる。
捨て枠５の仮固定後は、室内側片１５を既設枠室内側片９に室内側から止めるねじ４３で固定しているので、室内側からの作業で捨て枠５を既設枠３に強固に且つ簡単に固定できる。
補助片１９と室外側片１７とにより既設枠室外側片１１を上下の位置で挟んでいるので、室内側に負圧が生じた場合に基部１３の室外側が内周側に向けて引き込まれようとする転びを防止できる。
特許文献１のような接着材やガイド部材を用いていないので、施工が容易であると共に部品点数を少なくできる。更に、材料費を低減できる。
第１実施の形態と同様に、既設枠３の製造元が異なる場合でも共通している既設枠室外側片１１と既設枠室内側片９に捨て枠５を取付ける構成であるから、汎用性が高い。
【００２７】
図５に本発明の第３実施の形態を示す。この第３実施の形態では、捨て枠５の室外側片１７と補助片１９では、外周側に向けて突設する高さが略同じになっており。換言すれば、室外側片１７の突出高さを第１実施の形態よりも低くして補助片１９の高さと略同じにしている。更に、この第３実施の形態では、室外側片１７には既設枠室外側片１１に圧接する圧接部２５がない点が第１実施の形態と異なっている。
【００２８】
第３実施の形態によれば、捨て枠５の室外側片１７と室内側片１５の圧接部２１により既設枠室外側片１１と既設枠室内側片９との間で既設枠室内側片９と既設枠室外側片１１とに圧接固定しているので、捨て枠５を既設枠３に嵌め入れるだけで捨て枠５を既設枠３に仮固定でき、施工性が良い。しかも、室内側片１５の圧接部２１は既設枠室内側片９の室外側面９ａに見付け方向に亘って線状に当接しているから、面で圧接する場合に比較して、当接圧を高くできると共に確実に圧接させることができる。
また、仮固定後にねじ４３を締め付けたときには、補助片１９の圧接部２９も、既設枠室外側片１１の室外側面１１ａに見付け方向に亘って線状に当接するから、面で圧接する場合に比較して、当接圧を高くできると共に確実に圧接させることができる。
捨て枠５の室外側片１１の高さを補助片１９の高さと略同じにしているので、図３（ａ）に示すように、既設枠３に捨て枠５を取付けるときに、室外側を下に室内側を上に傾斜させて室外側を上方に向けて回動するように捨て枠５を押し込む際に、補助片１９と室外側片１７との間に既設枠室外側片１９の下端を嵌め込み易く、既設枠３に捨て枠５を取付け易い。
捨て枠５の仮固定後は、室内側片１５を既設枠室内側片９に室内側から止めるねじ４３で固定しているので、室内側からの作業で捨て枠５を既設枠３に強固に且つ簡単に固定できる。
捨て枠５の室内側片９を既設枠室内側片に室内側から止めるねじ４３で固定しているので、ねじ４３の締め付けにより捨て枠５が室内側へ引き寄せられて、補助片１２９圧接部２９を既設枠室外側片１１の室外側面１１ａに強く圧接できるから、室内側に負圧が生じた場合に基部の室外側が内周側に向けて引き込まれようとする転びを防止できる。
特許文献１のような接着材やガイド部材を用いていないので、施工が容易であると共に部品点数を少なくできる。更に、材料費を低減できる。
第１実施の形態と同様に、既設枠３の製造元が異なる場合でも共通している既設枠室外側片１１と既設枠室内側片９に捨て枠５を取付ける構成であるから、汎用性が高い。
【００２９】
本発明は、上述した実施の形態に限らず、本発明の要旨を逸脱しない範囲で種々変形可能である。
例えば、各実施の形態において、左右の既設竪枠３ｃ、３ｃや既設下枠３ｂにも、各々上捨て枠５ａと同種の捨て枠を取付けても良いし、上捨て枠５ａと同種の捨て枠は、既設上枠３ａ、既設下枠３ｂ及び既設竪枠３ｃのいずれか一つに取付けても良い。
捨て枠５を既設枠３に取付ける方法は、基部１３の室内側を既設枠室内側片９の下端に当接させて回動することに限らず、室内側片１５と室外側片１７との各先端を既設枠室内側片９と既設枠室外側片１１の間に下から同時に押し込んで取付けても良い。この場合、第１及び第３実施の形態では、室内側片１５の先端は室外側に向けて傾斜し、室外側片１７の先端は室内側に向けて傾斜しているので、各先端が邪魔にならずに嵌め込みが容易にできる。
障子８は、引き戸障子に限らず、嵌め殺し障子でも良く、その種類は問わない。
【符号の説明】
【００３０】
１      改装窓
３      既設枠
３ａ    既設上枠
５      捨て枠
５ａ    上捨て枠
７      新設枠
７ａ    新設上枠
９      既設枠室内側片
１１    既設枠室外側片
１３    基部
１５    室内側片
１７    室外側片
１９    補助片
２１    圧接部
２３    Ｖ字の屈曲部
２５    圧接部
２７    Ｖ字の屈曲部
２９    圧接部
【図１】
2011196166.tif 000003
【図２】
2011196166.tif 000004
【図３】
2011196166.tif 000005
【図４】
2011196166.tif 000006
【図５】
2011196166.tif 000007